(57)【特許請求の範囲】
【請求項１】
見開状態の基紙に、前記基紙の中心線に対して略対象の位置に物品収納部を有する板紙を貼着してあり、中心線で内側に折り曲げると、前記物品収納部同士が向かい合い、前記板紙１枚の厚みよりも厚く前記板紙２枚分の厚みよりも薄い厚みの物品が収納でき、前記板紙は前記物品収納部より前記中心線側の位置から小口側の位置まで前記中心線に略平行な切欠きを複数本有し、前記切欠きが前記板紙の天地の長さと同じであり、前記切欠き部で２方向に曲げることが可能であることを特徴とする冊子体用保護部材。
【請求項２】
前記切欠きの間隔が均一でなく、前記基紙の中心線に近い方が間隔が狭く、順次遠くなると間隔が広くなることを特徴とする請求項１記載の冊子体用保護部材。
【請求項３】
前記板紙の上に、前記物品収納部の部分を除いて、用紙を貼着したことを特徴とする請求項１乃至請求項２記載の冊子体用保護部材。
【請求項４】
請求項１乃至請求項３のいづれか一つの冊子体用保護部材を中綴じ又は無線綴じで綴じ込んだことを特徴とする冊子体。
【請求項５】
前記冊子体用保護部材に前記板紙1枚の厚みよりも厚く前記板紙２枚分の厚みより薄い厚みの物品を収納したことを特徴とした請求項４記載の冊子体。
【発明の詳細な説明】
【０００１】
【発明の属する技術分野】
本発明は、冊子体（例えば本、書籍、雑誌、パンフレット、カタログ、小冊子等があるがこれに限定しない）に包装部材（物品）を添付する技術に関する。
【０００２】
【従来の技術】
平成６年に日本雑誌協会が、雑誌に現物見本を添付する場合の自主基準を緩和して、化粧品、シャンプー類、石鹸、洗剤等が添付可能となり、それらの関連出願が出願されている。
特開平９−１０４４６５号には「保護材及びそれを使用した包装体」が開示されている。課題は液体、粉体、粒状体などの試供品を収納した包装袋からなる商品サンプルを雑誌等に貼り込むに際して、破袋を引き起こす積載圧を有効に軽減できる保護材及びそれを使用した包装体を提供することである。
構成は、包装袋の周辺部に略合致する外枠部分と、該外枠部分の対向部位を繋ぐ少なくとも１本の連結部分とを備えたことを特徴とする保護材であり、この保護材に前記包装袋を沿わせてフィルム袋に収納してなる包装体である。
【０００３】
また、段落番号（００２１）には「…外枠部分２１ａの短辺と連結部分２１ｂには、雑誌Ｍの天地方向に対応する方向に３本の切込み線βが形成されている。
このように保護材２０に切込み線βを形成して置くことにより、読者が雑誌Ｍの携帯時等において２つに折り曲げた時に保護材２０も一緒に曲がるので都合がよい。」との記載がある。
しかし、従来技術の上記の特開平９−１０４４６５号の包装体では、保護材２０の一面にしか切込み線βが入っていないため一方向にしか曲がらない。そのため「携帯時において２つに折り曲げた時」は問題ないが、「読者が雑誌を手にとって読む時」に問題がある。
【０００４】
手にとって雑誌を読む際は、頁は雑誌の背部を中心に左右になだらかな山型になる。保護材（＝保護部材）が一方向にしか曲がらない場合、保護材が曲がることで頁がなだらかに山型になり読みやすい頁と、保護材が曲がらないことで頁も突っ張ってなだらかに曲がらない読みにくい頁が生じる。
特に、液体、流動体、粉体、粒状体等の物品の容量が大きくなると問題が顕著になる。物品が化粧品の場合、サンプルとしての容量は１〜３ｃｃ程度の少量の場合があるため包装体の面積が小さく、一方向にしか曲がらず読みにくいという問題は存在するがそれほど顕著ではないことがある。
しかし、物品がシャンプー、リンス等の場合は１回の使用量が１０〜１５ｃｃと必ず大容量となり包装体の面積が大きくなるため、読みにくいという問題は顕著となる。そのため、従来技術ではシャンプー、リンス等大容量のサンプルを雑誌に添付することは不可能であった。
【０００５】
【発明が解決しようとする課題】
本発明は、上記問題点を解決すべく、冊子体に物品を添付する場合に、読みにくい頁が生じない、冊子体用保護部材及び冊子体を提供することを課題とする。
【０００６】
【課題を解決するための手段】
請求項１に記載の発明は、見開状態の基紙に、前記基紙の中心線に対して略対象の位置に物品収納部を２つ有する板紙を貼着してあり、中心線で内側に折り曲げると、前記物品収納部同士が向かい合い前記板紙は前記物品収納部より前記中心線側の位置から小口側の位置まで前記中心線に略平行な切欠きを複数本有し、前記切欠きが前記板紙の天地の長さと同じであり、前記切欠き部で２方向に曲げることが可能であることを特徴とする冊子体用保護部材である。
このような構成としたので、前記冊子体用保護部材が左右の２方向に曲がり、且つ板紙１枚の厚みよりも厚く板紙２枚分の厚みよりも薄い厚みの物品が収納可能となる。
冊子体として雑誌の中に綴じ込んだとき、雑誌の開く形態に近い形に曲がり、雑誌を読みやすくすることができる。
【０００７】
請求項２に記載の発明は、前記板紙は、前記切欠きを前記中心線側の位置から小口側の位置まで複数本有することとともに、前記切欠きの間隔が均一でなく、前記基紙の中心線に近い方が間隔が狭く、順次遠くなると間隔が広くなることを特徴とする請求項１記載の冊子体用保護部材である。
このような構成としたので、請求項１記載の発明よりさらに雑誌を読みやすくすることができる。
【０００８】
請求項３に記載の発明は、前記板紙の上に、前記物品収納部の部分を除いて、用紙を貼着したことを特徴とする請求項１乃至請求項２記載の冊子体用保護部材である。
このような構成としたので、上記の効果があり、且つ切欠きが直接見えないので体裁がよい。
【０００９】
請求項４に記載の発明は、請求項１乃至請求項３のいづれか一つの冊子体用保護部材を中綴じ又は無線綴じで綴じ込んだことを特徴とする冊子体である。
このような構成としたので、冊子体を開くとき前記冊子体用保護部材が左右に曲がり読みずらい頁がなくなる。
【００１０】
請求項５に記載の発明は、前記冊子体用保護部材に前記板紙1枚の厚みよりも厚く前記板紙２枚分の厚みより薄い厚みの物品を収納したことを特徴とした請求項４記載の冊子体である。
このような構成としたので、冊子体を開くとき前記冊子体用保護部材が左右に曲がり読みずらい頁がなくなり、保護部材に収納した物品も破損や破袋せずに安全に保たれる。
【００１１】
【発明の実施の形態】
実施の形態を図面を用いて詳細に説明する。
図１は本発明の冊子体用保護部材１の説明図である。基紙２の中心線６の左側に板紙３を貼着してある。該板紙３は物品収納部４及び切欠き５を有する。この例では中心線６で折り曲げ、製本機で中綴じ、無線綴じ等の製本方式に使用できる。また、無線綴じであれば、中心線６の右側は無くてもよい。物品の厚さが薄ければ図１の冊子体用保護部材で十分である。
【００１２】
図２は本発明の別の冊子体用保護部材１の説明図である。基紙２に中心線６を挟んで板紙３を貼着してある。該板紙３は中心線６に対して略対象の位置に物品収納部４を有し、且つ中心線６に略平行な切欠き５を有している。中心線６で内側に折り曲げると、物品収納部４同士が向かい合い、その間に物品を収納可能とする。板紙３の厚さは物品の厚さの１／２より少し厚くすればよい。物品は特に限定しないが、例えば化粧品、シャンプー類、石鹸、洗剤等の液体又は粉体の場合は、フレキシブルであるので、それらの物品を前記物品収納部４に収納して冊子体に綴じ込んだ場合は、冊子を読むとき前記切欠き５により冊子が左右に曲がり、読みにくい頁をなくすことができる。
【００１３】
図３は本発明の別の冊子体用保護部材１の説明図である。図１の構成のものに、さらに物品収納部４の部分を除いて用紙７を貼着したものである。切欠き５を隠して体裁を良くしたものである。用紙７としては、基紙２と同じ又は基紙２より薄いものが好ましい。紙の強度と切欠きの幅と切欠きの数を適宜選択して曲がるように設定すればよい。
【００１４】
図４は本発明の別の冊子体用保護部材１の説明図である。図２の構成のものに、さらに物品収納部４の部分を除いて用紙７を貼着したものである。切欠き５を隠して体裁を良くしたものである。上記したフレキシブルな物品は収納したまま冊子体を曲げることができるが、物品が固いもの例えばフロッピーディスク、ＣＤ、ＤＶＤディスク等の記録媒体の場合は、読む前に物品収納部４より外してから読めば曲がるので読みやすい。
【００１５】
前記した図２、図４の場合、中綴じの冊子体を作るのであれば、中綴じの最中が好ましい。すなわち、物品収納部４と４が向かい合うことにより、板紙の約２倍の厚さの物品を収納できる。
【００１６】
図５は本発明の冊子体の説明図である。図２のタイプの冊子体用保護部材１を中綴じ本に綴じ込んだ状態を示している。物品収納部４には物品８として液体用袋に入っているシャンプーとリンスのつながったものを入れた状態である。
切欠き５の作用効果で本（雑誌）が開きやすくなり、読みやすい。
【００１７】
図６は本発明の冊子体の説明図である。図４のタイプの冊子体用保護部材１を無線綴じ本に綴じ込んだ状態を示している。物品収納部４には物品８として液体用袋に入っているシャンプーとリンスのつながったものを入れた状態である。
切欠き５の作用効果で本（雑誌）が開きやすくなり、読みやすい。
【００１８】
図７は図２のタイプの切欠き５を有する収納部の作成方法を示す説明図である。点線で囲まれた大きさが必要な冊子体用保護部材１とすると、それより大きいサイズの板紙３を用意し、図のように打ち抜いて、その打ち抜いた板紙３を基紙２に貼着する。基紙２も点線部よりも大きめにしておき、貼着後点線で断裁すると、図２のような冊子体用保護部材１を得ることができる。
【００１９】
以上実施の形態について述べてきたが、基紙、板紙、用紙には適宜印刷を施してもよい。また、雑誌の見開き頁に用いた例で説明してきたが、基本的な見開き２頁の天地方向又は左右方向に基紙を延長してパンフレット等として用いることも可能である。
【００２０】
【実施例】
以下図面を用いて実施例を説明する。
＜実施例１＞
図５に示した冊子体９を作成した。基紙２として坪量１０４．７ｇ／ｍ２のコート紙を用いて、厚さ２ｍｍの板紙３を図７のように打ち抜き、前記コート紙に貼着し点線で断裁した。これを中央で板紙３が内側になるように折って、他の折丁と一緒に中綴じ製本機に掛け製本した。その後物品を物品収納部に添付した。
閉じて重ねた状態では、左右の物品収納部の間に納まり、圧力がかからず、開くと切欠き５により左右に曲がるので読みにくくならなかった。
【００２１】
＜実施例２＞
図６に示した冊子体９を作成した。冊子体途中までは実施例１と同様に進めて、さらに板紙３側に用紙として坪量７３．３ｇ／ｍ２のコート紙を貼着し、製本段階で無線綴じ機に掛け製本した。実施例１と同様に閉じて重ねた状態では、左右の物品収納部の間に納まり、圧力がかからず、開くと切欠き５により左右に曲がるので読みにくくならなかった。
【００２２】
【発明の効果】
請求項１に記載の発明は、前記冊子体用保護部材が左右の２方向に曲がり、且つ、板紙１枚の厚みよりも厚く板紙２枚分の厚みよりも薄い厚みの物品が収納可能となる。
【００２３】
請求項２に記載の発明は、冊子体として雑誌の中に綴じ込んだとき、雑誌の開く形態に近い形に曲がり、雑誌を読みやすくすることができる。
【００２４】
請求項３に記載の発明は、上記の効果があり、且つ切欠きが直接見えないので体裁がよい。
【００２５】
請求項４に記載の発明は、冊子体を開くとき前記冊子体用保護部材が左右に曲がり読みずらい頁がなくなる。
【００２８】
請求項５に記載の発明は、冊子体を開くとき冊子体用保護部材が左右に曲がり、読みずらい頁がなくなり、冊子体用保護部材に収納した物品も破損や破袋せずに安全に保たれる。
【図面の簡単な説明】
【図１】  本発明の冊子体用保護部材の説明図である。
【図２】  本発明の別の冊子体用保護部材の説明図である。
【図３】  本発明の別の冊子体用保護部材の説明図である。
【図４】  本発明の別の冊子体用保護部材の説明図である。
【図５】  本発明の冊子体の説明図である。
【図６】  本発明の別の冊子体の説明図である。
【図７】  本発明の冊子体用保護部材の作成方法を示す説明図である。
【符号の説明】
１…冊子体用保護部材  ２…基紙  ３…板紙  ４…物品収納部  ５…切欠き  ６…中心線  ７…用紙  ８…物品  ９…冊子体
【図１】
0003809746.tif 000002
【図２】
0003809746.tif 000003
【図３】
0003809746.tif 000004
【図４】
0003809746.tif 000005
【図５】
0003809746.tif 000006
【図６】
0003809746.tif 000007
【図７】
0003809746.tif 000008